(57)【要約】【課題】  自己発光により文字表示可能なエレクトロルミネッセンスをメンブレンスイッチに張り合わせ緩衝材、筐体を付属し、床や壁に設置できるエレクトロルミネッセンス付きメンブレンスイッチを提供する。【解決手段】  エレクトロルミネッセンス１０２とメンブレンスイッチ１０３でスイッチ本体部分を構成するとともにエレクトロルミネッセンス１０２の上部にはエレクトロルミネッセンス保護のため保護用樹脂１０１を張り、またメンブレンスイッチ１０３の下部には衝撃緩和のため緩衝材１０４を張り合わせ、さらに筐体１０５縁部下面と保護用樹脂１０１上面端部を防水シール１０８で貼り付けた。これにより高荷重に耐えることができ、薄型で床や壁などに設置し、雨天時などの悪環境下での使用が可能であり、広範囲な用途に使用することができる。【選択図】      図１
2006147505.tif 000002
【特許請求の範囲】
【請求項１】
エレクトロルミネッセンスパネルと該エレクトロルミネッセンスパネル下面に上部接点シートと下部接点シートを積層したメンブレンスイッチを張り合わせた構成であって、前記エレクトロルミネッセンスパネル上面に保護用樹脂を貼り合わせ、さらに前記メンブレンスイッチ下面に緩衝材を介して、上面を開放し縁部を有する筐体内に配設したことを特徴とするエレクトロルミネッセンス付きメンブレンスイッチ。
【請求項２】
前記筐体の縁部に防水シールを施したことを特徴とする請求項１記載のエレクトロルミネッセンス付きメンブレンスイッチ。
【発明の詳細な説明】
【技術分野】
【０００１】
本発明は、メンブレンスイッチにエレクトロルミネッセンスを搭載し、薄型で表示、防水機能のついたエレクトロルミネッセンス付きメンブレンスイッチに関するものである。
【背景技術】
【０００２】
従来、メンブレンスイッチにバックライトとしてエレクトロルミネッセンスを搭載し、上面のスイッチ部分を照光させ入出力動作を明確に行うものであった。エレクトロルミネッセンスは、薄型で軽量、消費電力が少ない、発光にムラがない等の特徴から今日の電気機器等に搭載されることが一般的であった。
【特許文献１】なし
【発明の開示】
【発明が解決しようとする課題】
【０００３】
しかしながら、前記メンブレンスイッチはエレクトロルミネッセンスをバックライトとして使用しているため、市場では自己発光による文字表示が可能な商品が望まれていた。また、バックライトとして用いた場合でもエレクトロルミネッセンスに表面シートを張り合わせただけなので、長期の使用によりエレクトロルミネッセンスに負担がかかり破損しやすい等の問題があった。本発明は上記のような問題を解決するため、エレクトロルミネッセンス自身が文字又は図形を表示し、さらにメンブレンスイッチとエレクトロルミネッセンスに負担のかかりにくいエレクトロルミネッセンス付きメンブレンスイッチを提供することを目的とする。
【課題を解決するための手段】
【０００４】
本発明は、上記目的を達成するために、エレクトロルミネッセンスパネルと該エレクトロルミネッセンスパネル下面に上部接点シートと下部接点シートを積層したメンブレンスイッチを張り合わせたエレクトロルミネッセンス付きメンブレンスイッチにおいて、自己発光により文字又は図形表示可能なエレクトロルミネッセンスパネルを採用し、また前記メンブレンスイッチ下面には緩衝材を介しメンブレンスイッチとエレクトロルミネッセンスにかかる負担を軽減した。
【発明の効果】
【０００５】
本発明のエレクトロルミネッセンス付きメンブレンスイッチは次のような効果を奏することができる。
（１）エレクトロルミネッセンスが自己発光により文字又は図形表示をする。
（２）エレクトロルミネッセンスをバックライトとして使用していた際の文字表示をするために必要だった表面シートが不要になりコストダウンが図れる。
（３）エレクトロルミネッセンス上部に保護用樹脂を配設し、メンブレンスイッチ下部に緩衝材を配設したためエレクトロルミネッセンス、メンブレンスイッチに負担がかかりにくい。
（４）本発明の筐体縁部下面と保護用樹脂上面端部を両面テープ、液体、粘着材等の防水シールで貼り付けたため、防水効果があり雨天時など広範囲な環境に使用できる。
【発明を実施するための最良の形態】
【０００６】
本発明によればメンブレンスイッチに自己発光による文字表示が可能なエレクトロルミネッセンスを張り合わせたため、表面シートが不要であることからコストダウンを図ることができる。また、エレクトロルミネッセンス上部に保護用樹脂とメンブレンスイッチ下部には緩衝材を配設したため、エレクトロルミネッセンス、メンブレンスイッチに負担がかかりにくく、長寿命のエレクトロルミネッセンス付きメンブレンスイッチを提供することができる。さらに保護用樹脂と筐体との間を防水シールを貼り付けたために雨天時などでも使用することができる。
【実施例】
【０００７】
以下、本発明の実施の形態について詳細に説明する。
【０００８】
図１は本発明の実施例を表すエレクトロルミネッセンス付きメンブレンスイッチの分解斜視図、図２は本発明の実施例を示すエレクトロルミネッセンス付きメンブレンスイッチの文字表示例を示した外形図である。図１、図２において、エレクトロルミネッセンス１０２とメンブレンスイッチ１０３でスイッチ本体部分が構成され、エレクトロルミネッセンス１０２とメンブレンスイッチ１０３には外部から電源を取り込むためにテール１０６、１０７が付属されている。エレクトロルミネッセンス１０２の上部にはエレクトロルミネッセンス保護のため保護用樹脂１０１を張り、またメンブレンスイッチ１０３の下部には衝撃緩和のため緩衝材１０４を張る。これにより上部から荷重が加わってもエレクトロルミネッセンス１０２とメンブレンスイッチ１０３の保護が可能となる。さらに、筐体１０５は角形で上面を開放し縁部を有し、該筐体内に保護用樹脂１０１から緩衝材１０４までを収納し、前記保護用樹脂１０１上面端部と前記筐体１０５縁部下面を防水シール１０８で貼り合わせる事により本発明のエレクトロルミネッセンス付きメンブレンスイッチが完成する。本発明は筐体１０５を配設したことにより床や壁などに設置することができ、また防水シール１０８を貼り合わせたため雨天時などの悪環境下での使用が可能であり、広範囲な用途に使用することができる。
【０００９】
図３は本発明の断面図である。この図のように本体は保護用樹脂１０１、エレクトロルミネッセンス１０２、メンブレンスイッチ１０３、緩衝材１０４の４層構造となっており、筐体１０５の縁部下面と保護用樹脂の上面端部を防水シール１０８で貼り付け、防水構造を持たせている。
【００１０】
本発明は上記実施例に限定されるものではなく、本発明の趣旨に基づいて種々の変形が可能であり、これらを本発明の範囲から排除するものではない。
【産業上の利用可能性】
【００１１】
本発明のエレクトロルミネッセンス付きメンブレンスイッチはエレクトロルミネッセンス上部に保護用樹脂と、メンブレンスイッチ下部に緩衝材を配設したことから数十キロの高荷重にも耐えることができ、これらを筐体縁部下面と保護用樹脂上面端部に両面テープ、液体、粘着材等の防水シールにより筐体内に配設したため防水性も確保した。これにより薄型でありながらも耐高荷重、防水効果が得られ、床や壁など設置場所を自由に選択でき、水がかかる様な環境でも使用できるため、使用場所はより広範囲となる。
【図面の簡単な説明】
【００１２】
【図１】本発明の実施例を示すエレクトロルミネッセンス付きメンブレンスイッチの分解斜視図である。
【図２】本発明の実施例を示すエレクトロルミネッセンス付きメンブレンスイッチの外形図である。
【図３】本発明の実施例を示すエレクトロルミネッセンス付きメンブレンスイッチの断面図である。
【符号の説明】
【００１３】
１０１  保護用樹脂
１０２  エレクトロルミネッセンス
１０３  メンブレンスイッチ
１０４  緩衝材
１０５  筐体
１０６、１０７  テール
１０８  防水シール
【図１】
2006147505.tif 000003
【図２】
2006147505.tif 000004
【図３】
2006147505.tif 000005